(57)【要約】【課題】  従来つくられてきた音響室は、取り付けてある音響調整部材が落ちてこないように、部屋の特別な工事あるいはそれに準ずる恒久的な接着などを用いた音響調整部材の取付を行って実現してきたため、部屋の音響効果を高めるための費用が高くなり、部屋の有効容積が狭くなり、しかも、一度つくると容易に変更できない場合が多く、音響室は安易につくることができないものとの印象を与えていた。【解決手段】  音響調整部材を再剥離可能な接着剤を用いて部屋の天井や壁やコーナー部などに取り付けて、音響効果の優れた、居心地の良い、レイアウト変更が容易な部屋を、安価に実現することができた。【選択図】  図１１
2005325587.tif 000002
【特許請求の範囲】
【請求項１】
可聴音や非可聴音（以下、可聴音と非可聴音のいずれかあるいは双方を、単に、音ともいう）の拡散や吸収や反射される状態を変えて間接音や残響音をコントロールすることができる音響調整部材において、前記音響調整部材が、その少なくとも一つの面に、前記音響調整部材を壁などに複数回着脱可能に装着することができる接着剤あるいは粘着剤（以下、壁などに複数回着脱可能に装着することができる接着剤あるいは粘着剤を再剥離可能な接着剤ともいう）を有することを特徴とする音響調整部材。
【請求項２】
請求項１に記載の音響調整部材において、前記再剥離可能な接着剤が水性エマルジョンタイプの接着剤であることを特徴とする音響調整部材。
【請求項３】
請求項１または２に記載の音響調整部材において、前記再剥離可能な接着剤がその構成成分中にアクリル系樹脂を主成分の一つとして含んでいることを特徴とする音響調整部材。
【請求項４】
請求項１〜３のいずれかに記載の音響調整部材において、前記音響調整部材の少なくとも一つの面に配置された前記再剥離可能な接着剤が前記音響調整部材の当該面に塗布されていることを特徴とする音響調整部材。
【請求項５】
請求項１〜４のいずれかに記載の音響調整部材において、一方の面に比較的接着力の強い接着剤（以下、比較的接着力の強い接着剤を通常接着剤ともいう）が配置されており他方の面に再剥離可能な接着剤が配置されている粘着テープ（以下、再剥離可能両面接着テープともいう）が、前記通常接着剤を配置した面を前記音響調整部材の少なくとも一つの面に接着することによって取り付けられていることを特徴とする音響調整部材。
【請求項６】
請求項４または５に記載の音響調整部材において、前記音響調整部材の再剥離可能な接着剤が配置されている少なくとも一つの面に、前記再剥離可能な接着剤が配置されている部分と前記再剥離可能な接着剤が配置されていない部分とがあることを特徴とする音響調整部材。
【請求項７】
請求項１〜６のいずれかに記載の音響調整部材において、前記音響調整部材の構成要素の主要部分が、音の拡散や吸収や反射される状態を変えて間接音や残響音をコントロールすることができる主要部分であるとともに、多孔質の合成樹脂で構成されていることを特徴とする音響調整部材。
【請求項８】
室内の壁や天井や壁同士あるいは壁と天井の境界部（以下、壁同士あるいは壁と天井の境界部を部屋のコーナー部ともいう）の少なくとも一部に、可聴音や非可聴音（以下、可聴音と非可聴音のいずれかあるいは双方を、単に、音ともいう）の拡散や吸収や反射される状態を変えて間接音や残響音をコントロールすることができる音響調整部材を取り付けて室内の音響を変える音響調整部材の取付施工方法において、前記音響調整部材を、その少なくとも一つの面と壁や天井やコーナー部などの前記音響調整部材を取り付ける場所（以下、取付部ともいう）との間に、前記音響調整部材を壁などに複数回着脱可能に装着することができる接着剤あるいは粘着剤（以下、壁などに複数回着脱可能に装着することができる接着剤あるいは粘着剤を再剥離可能な接着剤ともいう）を配置して、前記音響調整部材を当該取付部に取付ることを特徴とする音響調整部材の取付施工方法。
【請求項９】
請求項８に記載の音響調整部材の取付施工方法において、前記再剥離可能な接着剤が水性エマルジョンタイプの接着剤であることを特徴とする音響調整部材の取付施工方法。
【請求項１０】
請求項８または９に記載の音響調整部材の取付施工方法において、前記再剥離可能な接着剤が、その構成成分中にアクリル系樹脂を主成分の一つとして含んでいる接着剤であることを特徴とする音響調整部材の取付施工方法。
【請求項１１】
請求項８〜１０のいずれかに記載の音響調整部材の取付施工方法において、前記音響調整部材の少なくとも一つの面に配置された前記再剥離可能な接着剤が、前記音響調整部材の当該面に塗布されている接着剤であることを特徴とする音響調整部材の取付施工方法。
【請求項１２】
請求項８〜１１のいずれかに記載の音響調整部材の取付施工方法において、前記音響調整部材を取付部に取付る接着剤として、その少なくとも一つの面に、一方の面に比較的接着力の強い接着剤（以下、比較的接着力の強い接着剤を通常接着剤ともいう）が配置されており他方の面に再剥離可能な接着剤が配置されている粘着テープ（以下、再剥離可能両面接着テープともいう）を用いることを特徴とする音響調整部材の取付施工方法。
【請求項１３】
請求項１１または１２に記載の音響調整部材の取付施工方法において、前記音響調整部材の再剥離可能な接着剤が配置されている少なくとも一つの面には、前記再剥離可能な接着剤が配置されている部分と前記再剥離可能な接着剤が配置されていない部分とがあることを特徴とする音響調整部材の取付施工方法。
【請求項１４】
請求項８〜１３のいずれかに記載の音響調整部材の取付施工方法において、前記施工に用いる前記音響調整部材の構成要素の主要部分が、音の拡散や吸収や反射される状態を変えて間接音や残響音をコントロールすることができる主要部分であるとともに、多孔質の合成樹脂で構成されていることを特徴とする音響調整部材の取付施工方法。
【請求項１５】
室内の壁や天井や壁同士あるいは壁と天井の境界部（以下、壁同士あるいは壁と天井の境界部を部屋のコーナー部ともいう）の少なくとも一部に、可聴音や非可聴音（以下、可聴音と非可聴音のいずれかあるいは双方を、単に、音ともいう）の拡散や吸収や反射される状態を変えて間接音や残響音をコントロールすることができる音響調整部材を取り付けた部屋などの建造物において、前記音響調整部材が、前記音響調整部材とそれを取り付ける部屋の取付場所の表面との間に、前記音響調整部材を壁などに複数回着脱可能に装着することができる接着剤あるいは粘着剤（以下、壁などに複数回着脱可能に装着することができる接着剤あるいは粘着剤を再剥離可能な接着剤ともいう）を配置して、壁や天井やコーナー部の少なくとも一部に取付けられていることを特徴とする音響調整部材を取付けた建造物。
【請求項１６】
請求項１５に記載の音響調整部材を取付けた建造物において、前記再剥離可能な接着剤に水性エマルジョンタイプの接着剤を用いていることを特徴とする音響調整部材を取付けた建造物。
【請求項１７】
請求項１５または１６に記載の音響調整部材を取付けた建造物において、前記再剥離可能な接着剤にその構成成分中にアクリル系樹脂を主成分の一つとして含んでいる接着剤を用いていることを特徴とする音響調整部材を取付けた建造物。
【請求項１８】
請求項１５〜１７のいずれかに記載の音響調整部材を取付けた建造物において、前記音響調整部材の少なくとも一つの面に配置された前記再剥離可能な接着剤が、前記音響調整部材の当該面に塗布されている接着剤であることを特徴とする音響調整部材を取付けた建造物。
【請求項１９】
請求項１５〜１８のいずれかに記載の音響調整部材を取付けた建造物において、前記音響調整部材として、その少なくとも一つの面に、一方の面に比較的接着力の強い接着剤（以下、比較的接着力の強い接着剤を通常接着剤ともいう）が配置されており他方の面に再剥離可能な接着剤が配置されている粘着テープ（以下、再剥離可能両面接着テープともいう）を用いて壁や天井やコーナー部の少なくとも一部に取り付けられていることを特徴とする音響調整部材を取付けた建造物。
【請求項２０】
請求項１８または１９に記載の音響調整部材を取付けた建造物において、前記音響調整部材の再剥離可能な接着剤が配置されている少なくとも一つの面には、前記再剥離可能な接着剤が配置されている部分と前記再剥離可能な接着剤が配置されていない部分とがあることを特徴とする音響調整部材を取付けた建造物。
【請求項２１】
請求項１５〜２０のいずれかに記載の音響調整部材を取付けた建造物において、前記音響調整部材の構成要素の主要部分が、音の拡散や吸収や反射される状態を変えて間接音や残響音をコントロールすることができる主要部分であるとともに、多孔質の合成樹脂で構成されていることを特徴とする音響調整部材を取付けた建造物。
【発明の詳細な説明】
【技術分野】
【０００１】
本発明は、可聴音や非可聴音（以下、可聴音と非可聴音のいずれかあるいは双方を、単に、音ともいう）が拡散や吸収や反射される状態を変えて間接音や残響音をコントロールすることができる音響調整部材、および、その音響調整部材を用いて音の観点から安らぎのある部屋などを実現する音響調整部材の取付施工方法、ならびに、音の観点から安らぎのある部屋など、音響調整部材を取付けた建造物に関する。
【背景技術】
【０００２】
音楽を聴いて楽しむリスニングルームや音楽ホールなど質の良い音を聞くために音響効果を高めた部屋（以下、音響室ともいう）がつくられている。これらの音響室においては、通常の住空間としての居住部屋とは異なり、壁面、天井、壁同士あるいは壁と天井の境界部（以下、壁同士あるいは壁と天井の境界部を部屋のコーナー部ともいう）に、吸音部材、音拡散部材などと呼ばれる音響調整部材を取り付けて、部屋の周辺部における音の拡散や吸収や反射される状態を変えて間接音や残響音を制御して、室内にいる聴取者に届く音の品質を高めていた。
【０００３】
図１２は、特開平８−１２９３８９（以下、特許文献１ともいう）に記載された室内音響の調整構造が適用されたリスニングルーム等の室内４０を説明する図の一つで、符号５０はステレオシステム、５１は台、５２は椅子、４１は床、４２は前壁、４３は左右の側壁、４４は後壁、４５は天井、４６は後壁４６と天井４５とにより形成されるコーナー部、６０は音響調整部材としての吸音装置、６１は吸音材である。
【０００４】
図１３は、図１２で説明したリスニングルーム等の室内４０に用いる従来の音響調整部材とその取付方法を説明する図で、特許文献１に記載された吸音装置６０を用いた場合である。符号６３は支持板、６１ａは可変電源である。
【０００５】
特許文献１には、リスニングルーム等の室内４０で、天井と壁などにより形成される内隅部であるコーナー部４６に吸音材６１を有する吸音装置６０を斜めに取り付けて、コーナー部の残響の原因となる特定周波数の音波を適宜吸収して、室内４０の残響時間を含む音響パターンを調整して周波数特性の平坦化を図り、室内の音響効果を高めることが記載されている。
【０００６】
図１２と図１３で、コーナー部４６に取り付けられた吸音装置６０の吸音材６１に、室温、湿度等の気候的条件や室内の人数などの環境条件などによって変化する吸音すべき特定周波数の事情に応じて吸音材の吸音周波数特性を電気的制御によって変化させることができる電気感応型音波吸収制御用流体組成物を用いた吸音材を用いており、可変電源６１ａによって前記流体組成物に印加される電圧を室内の前記事情に応じて変化させて吸音材の吸収周波数特性を変化させることによって室内の音響効果を高めている。
【０００７】
吸音材６１は、図１３のように支持板６３に取り付けられている。
【０００８】
図１４は従来の音響調整部材とその取付方法を説明する図で、特開平６−１４９２６５（以下、特許文献２ともいう）に記載されている音響室のコーナー部に音響調整部材としての音響調整パネルの取付方法を説明する図である。符号１は天井、２は壁、３はコーナー部、４はコード類、１０は取り付け部、１１は上レール、１２は下レール、１３はコード押さえ、２０は音響調整パネル、３０は前面カバー、１１Ａは上レールの段差、１２Ａは下レールの段差、１１Ｂは上レールの前面、１２Ｂは下レールの前面である。
【０００９】
図１５〜図１７は従来の音響調整部材としての音響調整パネル２０の構造を説明する図で、符号２１，２２は板、２２Ａは貫通穴、２３はスペーサ、２４は吸音材、１０１，１０２は矢印である。
【００１０】
図１５は音響調整パネル２０を一方の側から見た平面図、図１６は音響調整パネル２０を図１５の矢印１０１の方向から見た側面図、図１７は音響調整パネル２０を図１６の矢印１０２の方向から見た平面図、すなわち図１５の裏側を示す図である。
【００１１】
音響調整パネル２０は、図１５〜図１７に図示のように、４つのスペーサ２３〜２３に互いに向かい合って固定された板２１，２２の間にガラス繊維などの吸音材２４を配して構成されている。一方の板２１はこの板に向かってくる音を反射する合板や金属板などでつくられており、他方の板２２は板２１と同様に合板や金属板などでつくられているが、多数の貫通穴２２Ａが設けられており、この板に向かってくる音が貫通穴２２Ａを通過して吸音材２４に達するようになっている。貫通穴２２Ａを通過した音は吸音材２４に吸収される。
【００１２】
前面カバー３０はサランなどの音を通す布状の被覆物で枠を被った構造になっている。
【００１３】
音響室の使用者は、室内の天井と壁の少なくとも一方に設けられた取り付け部である上レール１１の段差１１Ａと下レール１２の段差１２Ａとに複数の音響調整パネル２０を取り付け、音響室の使用目的に応じて音響調整パネル２０の表裏面の向きを変えることができる。
【００１４】
図１８〜図２１は従来の音響調整部材とその取付方法を説明する図で、特開平８−２４６５７４（以下、特許文献３ともいう）に記載されているリスニングルーム、器楽練習室、録音スタジオなどの壁面や天井面に音響調整用に貼着する音響調整部材としての内装用吸音体とそれを用いた音響室を説明する図で、図１８〜図２０は内装用吸音体自体を説明する図、図２１は内装用吸音体を用いて音響設計した音響室の一例を説明する図である。符号７１，８１，９１は内装用吸音体、７２，８２，９２は拡散部材、７２ａ，８２ａ，９２ａは天然素材、７３，８３，９３は吸音材、７４，８４は空間、９４は保持枠である。
【００１５】
図１８〜図２１に記載されている内装用吸音体は、室内のデザイン自由度を高めるために作成されたもので、拡散部材の表面に天然素材を編み組みして形成されている。
【００１６】
図１８と図１９に記載されている内装用吸音体は、裏面側に空間を有する細長形状の拡散部材と拡散部材の裏面に貼着した吸音材を有している。壁面への取り付け方法は詳細な記述はないが、内装用吸音体７１を、タイル張りのように、壁面全体を被うように設けていると記載されている。
【００１７】
図２０に記載されている内装用吸音体９１は、平板状に形成した拡散部材９２と拡散部材９２の裏面に貼着した吸音材９３と吸音材９３を保持する保持枠９４から成っている。
【００１８】
これらの内装用吸音体を壁などに配置した例が図２１に記載されている。
【００１９】
図２２、図２３は従来の音響調整部材とその取付方法を説明する図で、特開平７−１０２６５７（以下、特許文献４ともいう）に記載されている音響調整部材としての無響室用吸音具を用いた場合である。符号Ｓは吸音具、１０１は壁、１０１ａはチャンネル部材、１０２はビス、１０３は吸音エレメント、１０３ａは吸音エレメント１０３に形成されたスリット、１０４はフレーム、１０４ａはフレーム１０４に設けられた吸音部材取付部、１０５はフレーム本体、１０５ａはフレーム本体１０５の取付部、１０６は支持部、１０６ａは係止部である。
【００２０】
図２２で、室内内周部の壁１０１等に複数の吸音具Ｓをそれぞれチャンネル部材１０１ａに対してビス１０２で固定してある。吸音具Ｓは繊維材から成る吸音部材である吸音エレメント１０３と各吸音エレメント１０３を支持して壁１０１に取付自在なフレーム１０４を有している。
【００２１】
図２３は吸音具Ｓを説明する図で、吸音エレメント１０３に形成されたスリット１０３ａをフレーム１０４に設けられた吸音部材取付部１０４ａに嵌合させて吸音エレメント１０３はフレーム１０４の所定位置に取り付けられている。
【００２２】
衆知のように、図２２、図２３で説明した無響室は、極めて高度な音響特性を有するように構成することができるが、工事費が極めて高価なこと、室内が狭くなることなど、一般住宅には適用しがたいところがある。
【００２３】
近年、一般住宅においても、狭い住空間を広く使えて、しかも工事費があまり高くなくて、ある程度良好な音響効果を有する音響室を望む声が高まっており、この要望に応えるべく、たとえば、多孔質材料から成る表面に凹凸形状を有する音響調整部材としての音拡散板が使用されている。この音拡散板は、それを音響室内の壁や壁と天井あるいは壁と壁のコーナー部に配置するときに、配置条件を種々調べて、音響設計上適切と思われるところを検討して後、壁やコーナー部にしっかりと接着固定されて用いられている。
【００２４】
以上は、従来行われているリスニングルームや音楽ホールなどの音響室において良い音を聞くために、音響効果を高める音響改善方法であるが、これらの音響改善方法は、音響調整部材を取り付けられるように部屋を工事したり、タイル張りとは異なるがタイル張りに例えられているようにコーナー部あるいは壁面や天井に音響調整部材を接着力が十分に強い接着剤で接着したりネジ止めしたりして取り付けることによって音響効果を高めていた。
【００２５】
このような音響室は、本格的なものの多くは、音響器材メーカーや大学や研究所などにつくられる場合が多く、また、余裕のある場合あるいは特別に望まれる場合には、一般住宅にリスニングルームという特別な部屋としてつくられてきた。
【００２６】
一般住宅においては、通常の住空間としての居住部屋に対して、窓にカーテンを付けるとか、集合住宅においては隣の家との境界の壁を防音性にするとか、上下の家との間の床を防音性にするなどの防音対策はとられているが、個別の居住部屋内の間接音や残響音を制御するための方策が講じられているとはいえないのが現状である。
【００２７】
【特許文献１】特開平８−１２９３８９
【特許文献２】特開平６−１４９２６５
【特許文献３】特開平８−２４６５７４
【特許文献４】特開平７−１０２６５７
【発明の開示】
【発明が解決しようとする課題】
【００２８】
以上説明したように、従来つくられてきた音響室は、取り付けてある音響調整部材が落ちてこないように、部屋の特別な工事あるいはそれに準ずる恒久的な接着などを用いた音響調整部材の取付を行って実現してきた。
【００２９】
したがって、部屋の音響効果を高めるための費用が高くなり、部屋の有効容積が狭くなり、しかも、一度つくると容易に変更できない場合が多く、音響室は安易につくることができないものとの印象を与えていた。たとえば、音響調整部材をコーナーや壁あるいは天井などの一部に工事用の接着剤で接着して取り付けてある場合、室内の配置替えの都合で音響調整部材の配置を変えたい場合、元の取付部から音響調整部材を剥がすと、壁紙が破れてしまったり、壁を損傷したりする恐れが高く、音響室内の変更は容易なことではなかった。
【００３０】
また、一般住宅における通常の住空間としての居住部屋に対しては、窓にカーテンをつけたり、壁や床に防音対策をしたりなどいわゆる騒音対策は行われているが、日常の会話などの響きを心地よくするなどのような居心地を良くするために音響効果を高めることなどはあまり重視されていなかった。
【００３１】
木造で壁には土壁を用いた昔ながらの居住空間としての和室は、実際にそこに入ると、なんとなく落ち着いて居心地が良いと感じられてきたが、そのような和室をつくる職人の数は減少し、コストが高く、多くの人にとって、あまり実現性の高いものではないと感じられていた。
【００３２】
一般住宅における通常の住空間としての居住部屋に対する間接音や残響音に関する検討は実際にはほとんどなされておらず、この間接音や残響音のコントロールが、その部屋にいる人たちの会話を聞きやすくしているなど居心地の良さに大きく貢献していることは、ほとんど検討されていなかった。
【００３３】
近年、ＩＣ（半導体集積回路）の発達や液晶表示装置やプラズマディスプレイの発達などもあって、テレビの小型化、薄型化、音響装置の小型化、薄型化が進んでいる。ブラウン管を表示装置にしているテレビの場合には、たとえば６畳とか１０畳の部屋の場合、テレビの置き場を部屋の隅にした方がよい場合が多い。大型のテレビの場合には特にそうである。しかし、液晶を表示装置にしたテレビの場合には、テレビの置き場はむしろ壁に平行に、壁に近づけておきたい場合が多い。
【００３４】
家庭用電気装置の発達や経済面での発展に伴い、薄型テレビや音響装置を購入し、家具の配置を変えたいことも多々ある。その部屋が音響調整部材を取り付けてある部屋の場合、音源の変更により、室内の音響状態が当然変化し、好ましい音響状態であった部屋が好ましくない音響状態の部屋に変わってしまう場合が多い。そこで、音響調整部材の配置を変えようとすると、そのための高額な費用がかかり、さらに、壁などに傷が残ってしまい、それを治すのにさらなる工事費がかかることになるという大きな問題があった。また、その部屋が音響調整部材を取り付けてない部屋の場合、良質の音を聞きたければ、新たに高額な費用をかけて音響調整部材を取り付けるか、良い音質の薄型テレビや音響装置を購入する手段に頼らざるを得なかった。
【００３５】
また、落ち着いた居心地の良い土壁のある和室のような部屋に住みたいという希望も多くあるが、このような和室をつくるには、一般に高額な費用がかかるため、容易に実現することができないのが現状であった。
【００３６】
本発明はこのような点に鑑みて成されたものであり、本発明の目的は、リスニングルームに対しても、一般住宅における通常の住空間としての居住部屋に対しても、現実的に適用できるような、着脱可能で取付工事の簡単な音響調整部材及びその音響調整部材の取付施工方法ならびにその音響調整部材を取付けた建造物を提供し、落ち着いた居心地の良い部屋を容易に安価に実現できるようにするところにある。
【課題を解決するための手段】
【００３７】
前記のように、音響調整部材を部屋のコーナー部や壁や天井などに取り付けて、その部屋の音響効果を高めることは、音響室においては行われていたが、一般住宅における通常の住空間としての居住部屋においては、前記の事情もあって、あまりやる価値がないものと考えられていた。
【００３８】
しかし、本発明の発明者等の研究の結果、一般住宅における通常の住空間としての居住部屋において、従来は省みられなかったコーナー部や壁や天井への適切な音響調整部材の使用によって、通常の人の会話の音質を大きく変えることができ、室内の間接音特性や残響音特性を変えることができるということがわかった。その結果、テレビなどの音響設備やそれらの配置を変える場合、それに応じて音響調整部材の種類や大きさや配置など使用のあり方を変更することによって、居心地の良い住環境を維持できることがわかった。
【００３９】
ただ、このような音響調整部材の使用によって居心地の良い部屋にすることができることがわかっても、前記のような従来の事情により、すなわち、コストが高いこと、音響調整部材を一度取り付けるとレイアウト変更により音響調整部材の配置替えを行うと壁を傷めたり、大変な工事が必要だという従来の観念によって、一般住宅における通常の住空間としての居住部屋に音響調整部材を取り付けることは困難なこととも考えられていた。
【００４０】
この点を考慮し、本発明の発明者等は、たとえば、これに狭く限定されないが、多孔質のスポンジ材のような軽くて音を吸収、拡散することができる形状の樹脂材を用いた音響調整部材を、壁などに複数回着脱可能に装着することができる接着剤あるいは粘着剤（以下、壁などに複数回着脱可能に装着することができる接着剤あるいは粘着剤を再剥離可能な接着剤ともいう）を用いて部屋のコーナー部や壁や天井に着脱可能に取り付けることを提案した。
【００４１】
本発明でいう再剥離可能な接着剤は、たとえば、これに狭く限定されないが、多孔質の合成樹脂製であるモルトプレーン製のような音制御部材を有するものなど比較的軽い音響調整部材を壁などに装着してからそれをゆっくり剥がしても、通常の室内内装に用いられている壁紙などの壁面を損傷させずに取り付けた音響調整部材を取り外すことができる接着剤である。再剥離可能接着剤、再剥離性接着剤などと呼ばれて市販されている接着剤、粘着剤も、当該音響調整部材を取付部に保持することができ、当該音響調整部材を取付部からゆっくり取り外すときに前記の条件を満たすものであれば本発明でいう再剥離可能な接着剤含まれる。
【００４２】
以下、本発明の特徴を具体的に説明する。
【００４３】
請求項１に記載の本発明の音響調整部材は、音の拡散や吸収や反射される状態を変えて間接音や残響音をコントロールすることができる音響調整部材であり、その少なくとも一つの面に再剥離可能な接着剤を配置したことを特徴とする音響調整部材である。この特徴故に、本発明の音響調整部材は、室内の取付部に容易に着脱することができるため、一般住宅における通常の住空間としての居住部屋にも容易に装着することができ、本発明の発明者等の研究結果を生かして、従来では考えられなかった、音的にも居心地の良い部屋を、安価に実現可能にした。さらに、本発明は、諸事情により室内のレイアウトを変更したいときも、容易に、安価に実行することができるという大きな効果を有する。
【００４４】
請求項２に記載の本発明の音響調整部材は、請求項１に記載の音響調整部材において、前記再剥離可能な接着剤が水性エマルジョンタイプの接着剤であることを特徴とする音響調整部材である。
【００４５】
請求項３に記載の本発明の音響調整部材は、請求項１または２に記載の音響調整部材において、前記再剥離可能な接着剤がその構成成分中にアクリル系樹脂を主成分の一つとして含んでいることを特徴とする音響調整部材である。
【００４６】
請求項２，３に記載の本発明の音響調整部材は、総合的に、健康に良く、居心地が良い、コストの安い部屋を実現するのに大きく貢献する。
【００４７】
請求項４に記載の本発明の音響調整部材は、請求項１〜３のいずれかに記載の音響調整部材において、前記音響調整部材の少なくとも一つの面に配置された前記再剥離可能な接着剤が前記音響調整部材の当該面に塗布されていることを特徴とする音響調整部材である。
【００４８】
請求項４に記載の本発明の音響調整部材は、それを使用したい必要な大きさだけ切り取って使用するときに使いやすく、比較的弱い接着力の接着剤を使用することができ、下地が弱いところにも使用できる。
【００４９】
請求項５に記載の本発明の音響調整部は、請求項１〜４のいずれかに記載の音響調整部材において、一方の面に比較的接着力の強い接着剤（以下、比較的接着力の強い接着剤を通常接着剤ともいう）が配置されており他方の面に再剥離可能な接着剤が配置されている粘着テープ（以下、再剥離可能両面接着テープともいう）が、前記通常接着剤を配置した面を前記音響調整部材の少なくとも一つの面に接着することによって取り付けられていることを特徴とする音響調整部材である。
【００５０】
請求項６に記載の本発明の音響調整部は、請求項４または５に記載の音響調整部材において、前記音響調整部材の再剥離可能な接着剤が配置されている少なくとも一つの面に、前記再剥離可能な接着剤が配置されている部分と前記再剥離可能な接着剤が配置されていない部分とがあることを特徴とする音響調整部材である。
【００５１】
請求項４〜６に記載の各音響調整部材は、それを用いる室内の事情に応じて、便利に使い分けることができる。  請求項５，６に記載の本発明の音響調整部材は、部屋の工事をするときに工事がし易い利点がある。
【００５２】
請求項７に記載の本発明の音響調整部は、請求項１〜６のいずれかに記載の音響調整部材において、前記音響調整部材の構成要素の主要部分が、音の拡散や吸収や反射される状態を変えて間接音や残響音をコントロールすることができる主要部分であるとともに、多孔質の合成樹脂で構成されていることを特徴とする軽くて扱いやすい音響調整部材である。たとえば、ウレタンのような材料を使用することにより、軽くて安い音響調整部材として、利用可能場所の範囲も広くなる。
【００５３】
請求項８に記載の本発明の音響調整部の取付施工方法は、室内の壁や天井やコーナー部の少なくとも一部に、音の拡散や吸収や反射される状態を変えて間接音や残響音をコントロールすることができる音響調整部材を取り付けて室内の音響を変える音響調整部材の取付施工方法において、前記音響調整部材を、その少なくとも一つの面と壁や天井やコーナー部などの前記音響調整部材を取り付ける場所（以下、取付部ともいう）との間に再剥離可能な接着剤を配置して、前記音響調整部材を当該取付部に取付ることを特徴とする音響調整部材の取付施工方法である。
【００５４】
請求項９に記載の本発明の音響調整部の取付施工方法は、請求項８に記載の音響調整部材の取付施工方法において、前記再剥離可能な接着剤が水性エマルジョンタイプの接着剤であることを特徴とする音響調整部材の取付施工方法である。
【００５５】
請求項１０に記載の本発明の音響調整部の取付施工方法は、請求項８または９に記載の音響調整部材の取付施工方法において、前記再剥離可能な接着剤が、その構成成分中にアクリル系樹脂を主成分の一つとして含んでいる接着剤であることを特徴とする音響調整部材の取付施工方法である。
【００５６】
請求項１１に記載の本発明の音響調整部の取付施工方法は、請求項８〜１０のいずれかに記載の音響調整部材の取付施工方法において、前記音響調整部材の少なくとも一つの面に配置された前記再剥離可能な接着剤が、前記音響調整部材の当該面に塗布されている接着剤であることを特徴とする音響調整部材の取付施工方法である。
【００５７】
請求項１２に記載の本発明の音響調整部の取付施工方法は、請求項８〜１１のいずれかに記載の音響調整部材の取付施工方法において、前記音響調整部材を取付部に取付る接着剤に再剥離可能両面接着テープを用いることを特徴とする音響調整部材の取付施工方法である。
【００５８】
請求項１３に記載の本発明の音響調整部の取付施工方法は、請求項１１または１２に記載の音響調整部材の取付施工方法において、前記音響調整部材の再剥離可能な接着剤が配置されている少なくとも一つの面には、前記再剥離可能な接着剤が配置されている部分と前記再剥離可能な接着剤が配置されていない部分とがあることを特徴とする音響調整部材の取付施工方法である。
【００５９】
請求項１４に記載の本発明の音響調整部の取付施工方法は、請求項８〜１３のいずれかに記載の音響調整部材の取付施工方法において、前記施工に用いる前記音響調整部材の構成要素の主要部分が、音の拡散や吸収や反射される状態を変えて間接音や残響音をコントロールすることができる主要部分であるとともに、多孔質の合成樹脂で構成されていることを特徴とする音響調整部材の取付施工方法である。
【００６０】
請求項１５に記載の本発明の音響調整部を取付けた建造物は、室内の壁や天井やコーナー部の少なくとも一部に、音の拡散や吸収や反射される状態を変えて間接音や残響音をコントロールすることができる音響調整部材を取り付けた部屋などの建造物において、前記音響調整部材が、前記音響調整部材とそれを取り付ける部屋の取付場所の表面との間に再剥離可能な接着剤を配置して、壁や天井やコーナー部の少なくとも一部に取付けられていることを特徴とする音響調整部材を取付けた建造物である。
【００６１】
請求項１６に記載の本発明の音響調整部を取付けた建造物は、請求項１５に記載の音響調整部材を取付けた建造物において、前記再剥離可能な接着剤に水性エマルジョンタイプの接着剤を用いていることを特徴とする音響調整部材を取付けた建造物である。
【００６２】
請求項１７に記載の本発明の音響調整部を取付けた建造物は、請求項１５または１６に記載の音響調整部材を取付けた建造物において、前記再剥離可能な接着剤にその構成成分中にアクリル系樹脂を主成分の一つとして含んでいる接着剤を用いていることを特徴とする音響調整部材を取付けた建造物である。
【００６３】
請求項１８に記載の本発明の音響調整部を取付けた建造物は、請求項１５〜１７のいずれかに記載の音響調整部材を取付けた建造物において、前記音響調整部材の少なくとも一つの面に配置された前記再剥離可能な接着剤が、前記音響調整部材の当該面に塗布されている接着剤であることを特徴とする音響調整部材を取付けた建造物である。
【００６４】
請求項１９に記載の本発明の音響調整部を取付けた建造物は、請求項１５〜１８のいずれかに記載の音響調整部材を取付けた建造物において、前記音響調整部材が、その少なくとも一つの面に、再剥離可能両面接着テープを用いて壁や天井やコーナー部の少なくとも一部に取り付けられていることを特徴とする音響調整部材を取付けた建造物である。
【００６５】
請求項２０に記載の本発明の音響調整部を取付けた建造物は、請求項１８または１９に記載の音響調整部材を取付けた建造物において、前記音響調整部材の再剥離可能な接着剤が配置されている少なくとも一つの面には、前記再剥離可能な接着剤が配置されている部分と前記再剥離可能な接着剤が配置されていない部分とがあることを特徴とする音響調整部材を取付けた建造物である。
【００６６】
請求項２１に記載の本発明の音響調整部を取付けた建造物は、請求項１５〜２０のいずれかに記載の音響調整部材を取付けた建造物において、前記音響調整部材の構成要素の主要部分が、音の拡散や吸収や反射される状態を変えて間接音や残響音をコントロールすることができる主要部分であるとともに、多孔質の合成樹脂で構成されていることを特徴とする音響調整部材を取付けた建造物である。
【００６７】
請求項８〜１４、請求項１５〜２１に記載の各発明は、請求項１〜７に記載の発明と同様な効果を奏することは、前記説明及び後述の説明により明らかである。
【発明の効果】
【００６８】
以上説明した本発明による音響調整部材を再剥離可能な接着剤を用いて部屋のコーナー部や壁や天井に着脱可能に取り付けた部屋は、製作コストが安く、音響調整部材の配置変えも含めて部屋の配置変えが容易であり、たとえば厚さの薄い音響調整部材を用いることなどによって部屋の実効的な広さを広くすることができるなど、本発明は大きな効果を奏するものである。
【発明を実施するための最良の形態】
【００６９】
以下、図面を参照して本発明の実施の形態の例について説明する。なお、説明に用いる各図は本発明の例を理解できる程度に各構成成分の寸法、形状、配置関係などを概略的に示してある。そして本発明の説明の都合上、部分的に拡大率を変えて図示する場合もあり、本発明の例の説明に用いる図は、必ずしも実施例などの実物や記述と相似形でない場合もある。また、各図において、同様な構成成分については同一の番号を付けて示し、重複する説明を省略することもある。
【００７０】
本発明の基本的技術思想は、音響調整部材を再剥離可能な接着剤を用いて部屋のコーナー部や壁や天井に着脱可能に簡単に取り付けることができるところに最大の特徴がある。本発明を実施することによって、たとえば、これに狭く限定されないが、多孔質のスポンジ材のような軽くて音を吸収、拡散、反射することができる形状の樹脂材を音響効果を高める形状に加工した音響調整部材を、再剥離可能な接着剤を用いて部屋のコーナー部や壁や天井に着脱可能に取り付けて、間接音や残響音をコントロールした音響効果の優れた、居心地の良い、レイアウト変更が容易で、部屋の有効容積が広い部屋を、安価に、簡単に実現することができる。
【００７１】
以下、いくつかの実施例を用いて本発明をさらに詳しく説明するが、説明の重複を避けるため、本発明の音響調整部材を中心にその詳細を説明し、本発明の音響調整部材の取付施工方法と本発明の音響調整部を取付けた建造物に関しては、本発明の音響調整部材の説明で代行できることに関しては説明の重複を避けることにする。
【００７２】
なお、室内に取り付けられた音響調整部材がそこに到来する音に対して吸収や拡散や反射などの作用を及ぼすこと自体に関したは衆知のことにつき、改めて説明することを省略する。
【実施例１】
【００７３】
図１〜４は、本発明の実施の形態例としての音響調整部材を説明する図で、図１は部分的斜視図、図２は図１の音響調整部材の表側すなわち部屋に取り付けたときに表面になる側の平面図、図３は図２の直線Ａ１−Ａ２の位置における断面図、図４は図１の音響調整部材の表側とその反対側すなわち部屋に取り付けたときに裏面になる側の平面図である。
【００７４】
図１〜４において、符号２００は本発明の実施の形態例としての平板状の音響調整部材でその一つの面に再剥離可能な接着剤を有している音響調整部材、２０１は音制御部材、２０２は音制御部材２０１の音制御構造部、２０３は接着剤、２０３ａは接着面、２０４は接着強化部、２０５は矢印である。
【００７５】
音制御部材２０１はスポンジ状（海綿状）の多孔質の合成樹脂で形成されており、室内に取り付けたときに表面になる部分に音制御構造部２０２が形成されている。音制御構造部２０２は図３の断面図に示すように、山形形状をした構造になっており、図２の平面図のように、音響調整部材２００の表面全体に形成されている。接着剤２０３には再剥離可能な接着剤を用いており、室内に取り付ける接着面２０３ａが再剥離可能な接着面になっている。接着剤２０３は、音制御部材２０１の裏面（音制御部材２０１の音制御構造部２０２が形成されている表面と反対側の面）の全面に、接着強化部２０４を介して、接着面２０３ａを室内の取付部から剥がすときにも接着強化部２０４から剥がれないように音制御部材２０１につけられている。
【００７６】
接着剤２０３は、音響調整部材２００を図３の矢印方向の力を加えて室内の取付部に押しつけたときに、音響調整部材２００が当該取付部から自重で容易に落下することがないように、音響調整部材２００を再剥離可能に接着保持することができる。すなわち、音響調整部材２００を当該取付部から他の場所に移動させたいときに、音響調整部材２００の適切なところに、図３の矢印２０５と逆方向の力を加えて音響調整部材２００を取付部から剥がし、移動させたい他の場所に再び貼り付けることができる。接着剤２０３に再剥離可能な接着剤を用いているため、音響調整部材２００を取付部から剥がすときに比較的弱い力でゆっくり剥がすことができ、一般建築の壁紙などの室内内装面を従来のように破損しないようにに剥がすことができる。
【００７７】
接着剤２０３に用いる再剥離可能な接着剤としては、従来再剥離可能な接着剤として知られている多くの接着剤を用いることができるが、それが支えるべき音制御部材２０１の材質、重量、取付場所などによって、接着剤の組成、厚みなどを適宜決めることが好ましい。
【００７８】
再剥離可能な接着剤としては、住空間としての室内に装着する場合、住人の健康上の観点からも、水性エマルジョンタイプの接着剤を用いることが特に好ましい。
【００７９】
このような再剥離可能な接着剤として、その構成成分中にアクリル系樹脂を主成分の一つとして含んでいる接着剤を用いることが好ましい。
【００８０】
図示していないが、接着剤２０３の室内に接着する表面には剥離紙が取り付けられており、音響調整部材２００を壁やコーナー部に取り付けるときに接着剤２０３から剥離紙を取り外して、音響調整部材２００を取付部に矢印２０５の方向に圧接して取付部に接着することができる。
【００８１】
剥離紙を、接着剤２０３の表面を大小に分割するように、複数個に分割できるもの、あるいは分割したもので構成しておけば、音響調整部材２００を壁やコーナー部に仮付けして音響効果を調べながら最適の取付場所を見つける作業がし易い。
【実施例２】
【００８２】
図５は、本発明の実施の形態例としての平板状の音響調整部材を説明する図で、図１〜４で説明した音制御部材２０１の裏面に配置される接着剤の配置の仕方が異なる例で、図４に相当する図である。符号２１０は音響調整部材、２０１ｂは音制御部材２０１の裏面、２０３ｂは音制御部材２０１の裏面２０１ｂの周辺部に配置された再剥離可能な接着剤、２０３ｃは音制御部材２０１の裏面２０１ｂの周辺部よりも内側に配置された再剥離可能な接着剤である。
【００８３】
音響調整部材としては多くの室内用建築材料に比べてかなり軽いものを用いることができる。たとえば、図１〜４に示した音響調整部材２００に類似の例として、音響調整部材の主要部分を多孔質のウレタンで構成した場合、図２における輪郭寸法を縦横各５０ｃｍにし、図３の接着剤２０３の表面から音制御構造部２０２の山形形状の頂点までの厚みを３ｃｍにしたもので、図示していない剥離紙を含めても、音響調整部材の重量は１５０ｇ以下である。すなわち、１平方ｃｍ当たりの重さは０．０６ｇ以下である。音響制御効果を発揮できる範囲で、この重量はさらに軽くすることができる。
【００８４】
再剥離可能な接着剤を、図３，図４のように音制御部材の裏面全面に設ける換わりに、接着剤の接着力（粘着力）を適宜選んで、図５のように音制御部材の裏面に部分的に設けても、取付に支障がないようにすることができる。このようにすることにより、音響調整部材２１０を取扱い易い用途がある。
【実施例３】
【００８５】
図６と図７はそれぞれ本発明の実施の形態例としての平板状の音響調整部材を説明する斜視図で、符号２２０，２３０は音響調整部材、２２１，２３１は音制御部材でスポンジ状の多孔質の合成樹脂で形成されており、室内に取り付けたときに表面になる部分にそれぞれ断面が山形形状をした構造の音制御構造部２２２，２３２を有している。２２１ｂ，２３１ｂは音制御部材２２１，２３１の裏面で、その全面あるいはその一部に再剥離可能な接着剤が配置されている。
【００８６】
音制御構造部２２２，２３２の構造は、図２の四角錐に似た構造とは異なり、山形形状をした断面が一方向に長く、複数の各山形形状の凸部が平行に形成されている。
【００８７】
音響調整部材２２０と音響調整部材２３０は、各音制御構造部の山の高さが異なり、音響調整部材２３０の方が音響調整部材２２０よりも山の高さが高く形成されている。
【実施例４】
【００８８】
図８と図９はそれぞれ本発明の実施の形態例としての音響調整部材を説明する斜視図で、符号２４０，２５０は音響調整部材、２４１，２５１は音制御部材でスポンジ状の多孔質の合成樹脂で形成されており、室内に取り付けたときに表面になる部分にそれぞれ断面が凹凸形状あるいは山形形状をした構造の音制御構造部２４２，２５２を有している。２４２ａ，２４２ｂ，２５２ａ，２５２ｂは音制御部材２４２，２５２の裏面（側面ともいえる）で、その全面あるいはその一部に再剥離可能な接着剤が配置されている。
【００８９】
音制御構造部２４２は、断面が矩形状の凹凸形状をしており、平坦な凸部２４２ａと凹部２４２ｂを有している構造になっており、音制御構造部２５２は、断面が山形形状をしており、山部２５２ａと谷部２５２ｂから成り、その山形形状は一方向に長く、複数の各山形形状の凸部と凸部が平行に形成された構造になっている。
【００９０】
音響調整部材２４０，２５０は、壁あるいは天井と壁の境界部、コーナー部に取り付けるのに便利である。
【００９１】
図１〜９を用いて説明した各音響調整部材は、ある程度大きなシート状に形成することができるが、たとえば、これに狭く限定されるものではないが、取付面の寸法が５ｃｍ×１０ｃｍ，１０ｃｍ×１０ｃｍ，２５ｃｍ×１０ｃｍなどの如く、取扱い易い寸法の単位音響調整部材として形成することができ、複数の単位音響調整部材を組合せ用いて、あるいは場合により形と音響特性の異なる単位音響調整部材を組合せ用いて、室内のデザインの改善、室内音響の改善を行うことができる。
【実施例５】
【００９２】
図１０は本発明の実施の形態例としての平板状の音響調整部材を説明する斜視図で、符号２６０は音響調整部材、２６１，２６２は形状寸法と音響効果の異なる音響調整部材の部分である。
【００９３】
音響調整部材２６０は、直線Ｘ１−Ｘ２，Ｘ３−Ｘ４，Ｘ５−Ｘ６，Ｙ１−Ｙ２，Ｙ３−Ｙ４，Ｙ５−Ｙ６で区切られる複数の単位音響調整部材を組み合わせて構成したものである。
【００９４】
音響調整部材２６０の裏面には、図示していないが再剥離可能な接着剤が配置されている。
【００９５】
このようにすることにより、部屋の状況に合わせて、部屋の有効容積が広く、音響効果が良く、優れたデザインの部屋を、安価に、簡単に実現することができる。
【００９６】
そして、部屋の模様替えも、特別な工事をせずに、内装も破壊せずに、安価に行うことができる。
【実施例６】
【００９７】
図１１は、本発明の音響調整部材を用いて本発明の音響調整部材の取付施工方法により内装を施工した実施の形態例としての音響調整部材を取付けた建造物である部屋の一部を説明する斜視図で、符号２７０は音響調整部材を取付けた建造物である部屋、２７１〜２７６は本発明の音響調整部材、２８０と２８１は壁、２８２は天井、２７７と２７８は天井と壁の境界部、２７９は壁同士の境界部である。
【００９８】
音響調整部材２７１〜２７６の裏面すなわち部屋の取付部に取り付けられる面には再剥離可能な接着剤が配置されている。
【００９９】
この再剥離可能な接着剤としては、再剥離可能両面接着テープを使用しており、この再剥離可能両面接着テープは、前記のように、一方の面に比較的接着力の強い接着剤（通常接着剤）が配置されており他方の面に再剥離可能な接着剤が配置されている粘着テープである。
【０１００】
音響調整部材２７１〜２７６は、前記再剥離可能両面接着テープの通常接着剤を配置した面を前記音響調整部材の少なくとも一つの面に接着して取り付け、前記再剥離可能両面接着テープの再剥離可能な接着剤が配置されている面を、室内の取付部に当てて、前記音響調整部材の上から圧接して室内の取付部に取り付けたものである。
【０１０１】
表面の細部は図示していないが、音響調整部材２７１〜２７６それぞれの音響調整機能をそれら個々の配置場所に応じた特性になるように音響調整部材を決め、さらに、たとえば、和室のイメージを出すために、音響調整部材２７２〜２７４を竹をイメージさせるデザインにし、音響調整部材２７５と２７６を左右の縦枠に竹をあしらった障子をイメージさせるデザインにし、音響調整部材２７１を木や土壁など周囲に合わせたデザインにするなどにより、和室のような居心地の、視覚的にも音響的にも落ち着いた感じの部屋をつくることができる。製作コストが、従来に比べて各段に安く、薄型、小型の音響調整部にすることが可能で、配置変えも、たとえば、取り付けてある音響調整部材を取付部からゆっくり剥がし、壁などを損傷することなく行うことができる。
【０１０２】
音響調整部材２７１〜２７６は、その配置場所に適切な音響効果を有するものが使用されるとともに部屋のデザインの一つとして、色、形状などが選ばれる。
【０１０３】
以上、いくつかの実施例も含めて本発明の音響調整部材及びその音響調整部材の取付施工方法ならびに音響調整部材を取付けた建造物について説明したが、本発明はこれに狭く限定されるものではなく、本発明は、その技術思想に基づいて、多くのバリエーションを可能とするものである。
【産業上の利用可能性】
【０１０４】
以上の説明からもわかるように、本発明の音響調整部材を再剥離可能な接着剤を用いて部屋のコーナー部や壁や天井に着脱可能に取り付けるという技術思想は、音響効果の優れた部屋を、製作コストが安く実現することができるのみならず、本発明による音響調整部材を取り付けた部屋は、音響調整部材の配置変えも含めて部屋の配置変えが容易であり、部屋の実効的な広さを広くすることができ、コンクリートを主とする高層住宅などにおいても、土壁を用いずに、土壁を用いた和室のような居心地の良い部屋を、容易に、安価に実現することができるという大きな利点を有しており、本発明は、建築業界に広く適用できるものである。
【図面の簡単な説明】
【０１０５】
【図１】本発明の実施の形態例としての音響調整部材を説明する部分的斜視図である。
【図２】本発明の実施の形態例としての音響調整部材を説明する平面図である。
【図３】本発明の実施の形態例としての音響調整部材を説明する断面図である。
【図４】本発明の実施の形態例としての音響調整部材を説明する平面図である。
【図５】本発明の実施の形態例としての音響調整部材を説明する平面図である。
【図６】本発明の実施の形態例としての音響調整部材を説明する斜視図である。
【図７】本発明の実施の形態例としての音響調整部材を説明する斜視図である。
【図８】本発明の実施の形態例としての音響調整部材を説明する斜視図である。
【図９】本発明の実施の形態例としての音響調整部材を説明する斜視図である。
【図１０】本発明の実施の形態例としての音響調整部材を説明する斜視図である。
【図１１】本発明の実施の形態例としての音響調整部材の取付施工方法と音響調整部材を取付けた建造物を説明する斜視図である。
【図１２】リスニングルーム等の室内を説明する図である。
【図１３】従来の音響調整部材とその取付方法を説明する図である。
【図１４】従来の音響調整部材とその取付方法を説明する図である。
【図１５】従来の音響調整部材としての音響調整パネル２０の構造を説明する図である。
【図１６】従来の音響調整部材としての音響調整パネル２０の構造を説明する図である。
【図１７】従来の音響調整部材としての音響調整パネル２０の構造を説明する図である。
【図１８】従来の音響調整部材としての内装用吸音体を説明する図である。
【図１９】従来の音響調整部材としての内装用吸音体を説明する図である。
【図２０】従来の音響調整部材としての内装用吸音体を説明する図である。
【図２１】従来の音響調整部材を取り付けた音響室を説明する図である。
【図２２】従来の音響調整部材としての無響室用吸音具とその取付方法を説明する図である。
【図２３】従来の音響調整部材としての無響室用吸音具とその取付方法を説明する図である。
【符号の説明】
【０１０６】
１０：取り付け部
１１，１２：下レール
２０，７１，８１，９１，２００，２１０，２２０，２３０，２４０，２５０，２６０，２７１〜２７６，Ｓ：音響調整部材
２０１，２２１，２３１，２４１，２５１：音制御部材
２０１ｂ，２２１ｂ，２３１ｂ，２４２ａ，２４２ｂ，２５２ａ，２５２ｂ：音制御部材の裏面
２０２，２２２，２３２，２４２，２５２：音制御構造部
２０３，２０３ｂ，２０３ｃ：再剥離可能な接着剤
２０３ａ：接着面
２０４：接着強化部
２０５：矢印
２６１，２６２：音響調整部材の部分
Ａ１−Ａ２，Ｘ１−Ｘ２，Ｘ３−Ｘ４，Ｘ５−Ｘ６，Ｙ１−Ｙ２，Ｙ３−Ｙ４，Ｙ５−Ｙ６：直線
２７０：音響調整部材を取付けた建造物
２７７，２７８：天井と壁の境界部
２７９：壁同士の境界部
２８０，２８１：壁
２８２：天井
【図１】
2005325587.tif 000003
【図２】
2005325587.tif 000004
【図３】
2005325587.tif 000005
【図４】
2005325587.tif 000006
【図５】
2005325587.tif 000007
【図６】
2005325587.tif 000008
【図７】
2005325587.tif 000009
【図８】
2005325587.tif 000010
【図９】
2005325587.tif 000011
【図１０】
2005325587.tif 000012
【図１１】
2005325587.tif 000013
【図１２】
2005325587.tif 000014
【図１３】
2005325587.tif 000015
【図１４】
2005325587.tif 000016
【図１５】
2005325587.tif 000017
【図１６】
2005325587.tif 000018
【図１７】
2005325587.tif 000019
【図１８】
2005325587.tif 000020
【図１９】
2005325587.tif 000021
【図２０】
2005325587.tif 000022
【図２１】
2005325587.tif 000023
【図２２】
2005325587.tif 000024
【図２３】
2005325587.tif 000025